(57)【要約】【課題】着目ユーザに関連付けられるウェブサイト群のうちから共通性があると考えられるウェブサイト群を特定することができるようにする。【解決手段】ウェブサイト特定部２６が、複数の着目ユーザのいずれかに関連付けられるウェブサイトを特定する。ウェブサイト特定部２６が、特定されるウェブサイトのうち、ウェブサイトの特徴量に関する条件又はウェブサイトに関連付けられる着目ユーザに関する条件の少なくとも一方を満足する複数のウェブサイト同士を互いに関連付ける。【選択図】図２
2013037624.tif 000002
【特許請求の範囲】
【請求項１】
複数の着目ユーザのいずれかに関連付けられるウェブサイトを特定するウェブサイト特定手段と、
特定されるウェブサイトのうち、ウェブサイトの特徴量に関する条件又はウェブサイトに関連付けられる着目ユーザに関する条件の少なくとも一方を満足する複数のウェブサイト同士を互いに関連付けるウェブサイト関連付け手段と、
を含むことを特徴とする情報処理システム。
【請求項２】
前記ウェブサイト関連付け手段は、関連付けられる前記着目ユーザの数に関する条件を満足するウェブサイトを互いに関連付ける、
ことを特徴とする請求項１に記載の情報処理システム。
【請求項３】
前記ウェブサイト関連付け手段は、関連付けられる着目ユーザの数が所定数以上であるウェブサイトを互いに関連付ける、
ことを特徴とする請求項２に記載の情報処理システム。
【請求項４】
前記ウェブサイト関連付け手段は、前記着目ユーザの総数に対する、ウェブサイトに関連付けられる着目ユーザの数の割合が所定値以上であるウェブサイトを互いに関連付ける、
ことを特徴とする請求項２に記載の情報処理システム。
【請求項５】
前記ウェブサイト関連付け手段により関連付けられたウェブサイトのいずれかに関連付けられるユーザのうちから、ユーザの特徴量に関する条件を満足するユーザを特定するユーザ特定手段、をさらに含む、
ことを特徴とする請求項１から４のいずれか一項に記載の情報処理システム。
【請求項６】
前記ウェブサイト関連付け手段により関連付けられたウェブサイトのいずれかに関連付けられるユーザの少なくとも一部を追加対象の着目ユーザとして特定するユーザ特定手段、をさらに含み、
前記ウェブサイト特定手段は、追加対象の着目ユーザとして特定されるユーザを含む複数の着目ユーザのいずれかに関連付けられるウェブサイトを特定し、
前記条件を満足しなくなったウェブサイトと当該ウェブサイトと関連付けられているウェブサイトとの関連付けを解除するウェブサイト関連付け解除手段、をさらに含む、
ことを特徴とする請求項１から４のいずれか一項に記載の情報処理システム。
【請求項７】
前記ウェブサイト関連付け手段は、ウェブサイトのＵＲＬが記載されたウェブページに対するアクセス数、又は、ウェブサイトのＵＲＬが記載されたウェブページに対するアクセス数の増加傾向に関する条件を満足するウェブサイトを互いに関連付ける、
ことを特徴とする請求項１から６のいずれか一項に記載の情報処理システム。
【請求項８】
複数の着目ユーザのそれぞれに対応付けられる情報と、複数の着目ウェブサイトのそれぞれに対応付けられる情報と、前記着目ユーザと前記着目ウェブサイトとの関係の強さを示す情報と、が含まれる提供対象情報を生成する情報生成手段と、
前記提供対象情報を出力する情報出力手段と、を含み、
前記着目ウェブサイトは、前記複数の着目ユーザのいずれかにより登録される情報に関連付けられるウェブサイトであり、
前記情報生成手段は、前記着目ユーザと前記着目ウェブサイトとの関係の強さを示す情報が、前記着目ユーザによる前記着目ウェブサイトに関する情報の登録に応じた表示態様で表示出力されるよう、前記提供対象情報を生成する、
ことを特徴とする情報処理システム。
【請求項９】
複数の着目ユーザのいずれかに関連付けられるウェブサイトを特定するウェブサイト特定ステップと、
特定されるウェブサイトのうち、ウェブサイトの特徴量に関する条件又はウェブサイトに関連付けられる着目ユーザに関する条件の少なくとも一方を満足する複数のウェブサイト同士を互いに関連付けるウェブサイト関連付けステップと、
を含むことを特徴とする情報処理方法。
【請求項１０】
複数の着目ユーザのいずれかに関連付けられるウェブサイトを特定するウェブサイト特定手段、
特定されるウェブサイトのうち、ウェブサイトの特徴量に関する条件又はウェブサイトに関連付けられる着目ユーザに関する条件の少なくとも一方を満足する複数のウェブサイト同士を互いに関連付けるウェブサイト関連付け手段、
としてコンピュータを機能させることを特徴とするプログラム。
【請求項１１】
複数の着目ユーザのいずれかに関連付けられるウェブサイトを特定するウェブサイト特定手段、
特定されるウェブサイトのうち、ウェブサイトの特徴量に関する条件又はウェブサイトに関連付けられる着目ユーザに関する条件の少なくとも一方を満足する複数のウェブサイト同士を互いに関連付けるウェブサイト関連付け手段、
としてコンピュータを機能させることを特徴とするプログラムを記憶したコンピュータ読み取り可能な情報記憶媒体。
【発明の詳細な説明】
【技術分野】
【０００１】
本発明は、情報処理システム、情報処理方法、プログラム及び情報記憶媒体に関する。
【背景技術】
【０００２】
例えば、ウェブサイトに対するアクセス数に関する分析技術（例えば、時間帯別のアクセス数の特定）や、ウェブサイトの検索に用いられるキーワードに関する分析技術（例えば、検索に用いられる頻度の高いキーワードの特定）など、ウェブサイトに関する分析技術には様々なものが存在する。
【発明の概要】
【発明が解決しようとする課題】
【０００３】
分析の対象として着目されるユーザ（以下、着目ユーザと呼ぶ。）に関連付けられるウェブサイト（例えば、着目ユーザにより投稿されたブログ記事やコメント等に記載されたＵＲＬにより所在が表されたウェブサイト）には、着目ユーザによって関心が持たれている内容が記載されていると考えられる。また、いずれかの着目ユーザに関連付けられるウェブサイト群のなかから特定される、ウェブサイトの特徴量又はウェブサイトに関連付けられる着目ユーザに関する条件の少なくとも一方を満足するウェブサイト群（例えば、関連付けられる着目ユーザの数が所定数以上であるウェブサイト群、あるいは、着目ユーザの総数に対する関連付けられる着目ユーザの数の割合が所定値以上であるウェブサイト群、など）には、何らかの共通性があると考えられる。
【０００４】
よって、いずれかの着目ユーザに関連付けられるウェブサイト群のなかからウェブサイトの特徴量又はウェブサイトに関連付けられるユーザに関する条件を満足するウェブサイト群を特定することができれば、その特定結果を活用して、例えば、着目ユーザの間で共通して興味が持たれている、あるいは、盛り上がっている話題の分析、あるいは、今後流行しそうなトレンドの分析などといった、様々な分析を行うことができると期待される。
【０００５】
本発明は上記課題に鑑みてなされたものであって、その目的の１つは、着目ユーザに関連付けられるウェブサイト群のうちから共通性があると考えられるウェブサイト群を特定することができるようにすることにある。
【課題を解決するための手段】
【０００６】
上記課題を解決するために、本発明に係る情報処理システムは、複数の着目ユーザのいずれかに関連付けられるウェブサイトを特定するウェブサイト特定手段と、特定されるウェブサイトのうち、ウェブサイトの特徴量に関する条件又はウェブサイトに関連付けられる着目ユーザに関する条件の少なくとも一方を満足する複数のウェブサイト同士を互いに関連付けるウェブサイト関連付け手段と、を含むことを特徴とする。
【０００７】
また、本発明に係る情報処理方法は、複数の着目ユーザのいずれかに関連付けられるウェブサイトを特定するウェブサイト特定ステップと、特定されるウェブサイトのうち、ウェブサイトの特徴量に関する条件又はウェブサイトに関連付けられる着目ユーザに関する条件の少なくとも一方を満足する複数のウェブサイト同士を互いに関連付けるウェブサイト関連付けステップと、を含むことを特徴とする。
【０００８】
また、本発明に係るプログラムは、複数の着目ユーザのいずれかに関連付けられるウェブサイトを特定するウェブサイト特定手段、特定されるウェブサイトのうち、ウェブサイトの特徴量に関する条件又はウェブサイトに関連付けられる着目ユーザに関する条件の少なくとも一方を満足する複数のウェブサイト同士を互いに関連付けるウェブサイト関連付け手段、としてコンピュータを機能させることを特徴とする。
【０００９】
また、本発明に係る情報記憶媒体は、複数の着目ユーザのいずれかに関連付けられるウェブサイトを特定するウェブサイト特定手段、特定されるウェブサイトのうち、ウェブサイトの特徴量に関する条件又はウェブサイトに関連付けられる着目ユーザに関する条件の少なくとも一方を満足する複数のウェブサイト同士を互いに関連付けるウェブサイト関連付け手段、としてコンピュータを機能させることを特徴とするプログラムを記憶したコンピュータ読み取り可能な情報記憶媒体である。
【００１０】
本発明によれば、複数の着目ユーザのいずれかに関連付けられるウェブサイトのうち、ウェブサイトの特徴量に関する条件又はウェブサイトに関連付けられる着目ユーザに関する条件の少なくとも一方を満足する複数のウェブサイト同士が互いに関連付けられるので、着目ユーザに関連付けられるウェブサイト群のうちから共通性があると考えられるウェブサイト群が特定されることとなる。
【００１１】
本発明の一態様では、前記ウェブサイト関連付け手段は、関連付けられる前記着目ユーザの数に関する条件を満足するウェブサイトを互いに関連付けることを特徴とする。
【００１２】
また、本発明の一態様では、前記ウェブサイト関連付け手段は、関連付けられる着目ユーザの数が所定数以上であるウェブサイトを互いに関連付けることを特徴とする。
【００１３】
また、本発明の一態様では、前記ウェブサイト関連付け手段は、前記着目ユーザの総数に対する、ウェブサイトに関連付けられる着目ユーザの数の割合が所定値以上であるウェブサイトを互いに関連付けることを特徴とする。
【００１４】
また、本発明の一態様では、前記ウェブサイト関連付け手段により関連付けられたウェブサイトのいずれかに関連付けられるユーザのうちから、ユーザの特徴量に関する条件を満足するユーザを特定するユーザ特定手段、をさらに含むことを特徴とする。
【００１５】
また、本発明の一態様では、前記ウェブサイト関連付け手段により関連付けられたウェブサイトのいずれかに関連付けられるユーザの少なくとも一部を追加対象の着目ユーザとして特定するユーザ特定手段、をさらに含み、前記ウェブサイト特定手段は、追加対象の着目ユーザとして特定されるユーザを含む複数の着目ユーザのいずれかに関連付けられるウェブサイトを特定し、前記条件を満足しなくなったウェブサイトと当該ウェブサイトと関連付けられているウェブサイトとの関連付けを解除するウェブサイト関連付け解除手段、をさらに含むことを特徴とする。
【００１６】
また、本発明の一態様では、前記ウェブサイト関連付け手段は、ウェブサイトのＵＲＬが記載されたウェブページに対するアクセス数、又は、ウェブサイトのＵＲＬが記載されたウェブページに対するアクセス数の増加傾向に関する条件を満足するウェブサイトを互いに関連付けることを特徴とする。
【００１７】
また、本発明に係る別の情報処理システムは、複数の着目ユーザのそれぞれに対応付けられる情報と、複数の着目ウェブサイトのそれぞれに対応付けられる情報と、前記着目ユーザと前記着目ウェブサイトとの関係の強さを示す情報と、が含まれる提供対象情報を生成する情報生成手段と、前記提供対象情報を出力する情報出力手段と、を含み、前記着目ウェブサイトは、前記複数の着目ユーザのいずれかにより登録される情報に関連付けられるウェブサイトであり、前記情報生成手段は、前記着目ユーザと前記着目ウェブサイトとの関係の強さを示す情報が、前記着目ユーザによる前記着目ウェブサイトに関する情報の登録に応じた表示態様で表示出力されるよう、前記提供対象情報を生成することを特徴とする。
【００１８】
なお、本発明における「ウェブサイト」は、インターネット等のコンピュータネットワーク上に公開されているデジタルコンテンツ、あるいは、デジタルコンテンツの集まり全般を含む概念であり、ウェブページ（例えば、ｈｔｔｐ：／／で開始されるＵＲＬに対応付けられる１又は複数のウェブページや、ＨＴＴＰプロトコルによってアクセス可能である１又は複数のウェブページなど）に限定されるものではない。
【図面の簡単な説明】
【００１９】
【図１】本発明の一実施形態に係るコンピュータネットワークの全体構成図である。
【図２】本発明の一実施形態に係る分析システムで実現される機能の一例を示す機能ブロック図である。
【図３】本発明の一実施形態に係る分析システムで行われる処理の流れの一例を示すフロー図である。
【図４】対応関係管理データの一例を示す図である。
【図５】対応関係管理データの一例を示す図である。
【図６】対応関係管理データの一例を示す図である。
【図７】対応関係管理データの一例を示す図である。
【図８】場一覧ページの一例を示す図である。
【図９】場詳細ページの一例を示す図である。
【図１０】場関連着目ユーザ一覧ページの一例を示す図である。
【図１１】着目ユーザ一覧ページの一例を示す図である。
【図１２】着目ユーザ詳細ページの一例を示す図である。
【図１３】対応関係表示ページの一例を示す図である。
【発明を実施するための形態】
【００２０】
以下、本発明の一実施形態について図面に基づき詳細に説明する。
【００２１】
図１は、本発明の一実施形態に係るコンピュータネットワークの全体構成図である。図１に示すように、インターネットなどのコンピュータネットワーク１８には、いずれもコンピュータを中心に構成された分析システム１０、ソーシャルメディアシステム１２（１２−１〜１２−ｌ）、ウェブサーバ１４（１４−１〜１４−ｍ）、クライアント１６（１６−１〜１６−ｎ）が接続されている。そして、分析システム１０、ソーシャルメディアシステム１２、ウェブサーバ１４、クライアント１６、は互いに通信可能になっている。
【００２２】
分析システム１０は、本実施形態に係る情報処理システムとして機能するサーバ等のコンピュータシステムであり、ソーシャルメディアシステム１２に登録されているデータに対する分析を行う。ソーシャルメディアシステム１２は、例えば、ユーザから受け付けるコンテンツを公開するサービスを提供するサーバ等のコンピュータシステムである。ソーシャルメディアシステム１２が提供するサービスとしては、例えば、電子掲示板、ブログ、ウィキ、ソーシャルブックマーク、Ｔｗｉｔｔｅｒ（登録商標）、ソーシャル・ネットワーキング・サービス、などが挙げられる。そして、本実施形態では、それぞれのソーシャルメディアシステム１２は、互いに異なるサービスをユーザに提供する。ウェブサーバ１４は、クライアント１６にウェブページ等のコンテンツを提供するサーバである。
【００２３】
分析システム１０、ソーシャルメディアシステム１２、ウェブサーバ１４は、それぞれ、例えば、自装置にインストールされるプログラムに従って動作するＣＰＵ等のプログラム制御デバイスである制御部、ＲＯＭやＲＡＭ等の記憶素子やハードディスクドライブなどである記憶部、ネットワークボードなどの通信インタフェースである通信部、を含んで構成されている。これらの要素は、バスを介して接続される。分析システム１０、ソーシャルメディアシステム１２、ウェブサーバ１４の記憶部には、自装置の制御部によって実行されるプログラムが記憶される。また、分析システム１０、ソーシャルメディアシステム１２、及び、ウェブサーバ１４の記憶部は、自装置のワークメモリとしても動作する。
【００２４】
クライアント１６は、分析システム１０やソーシャルメディアシステム１２のユーザが利用するコンピュータであり、例えば、パーソナルコンピュータ、ゲームコンソール、テレビ受像機、携帯型ゲーム装置、携帯情報端末、などである。そして、クライアント１６は、例えば、ＣＰＵ等の制御部、ＲＯＭやＲＡＭ等の記憶素子やハードディスクドライブ等の記憶部、ディスプレイ、スピーカ等の出力部、ゲームコントローラ、タッチパッド、マウス、キーボード、マイク等の入力部、ネットワークボード等の通信部、ＤＶＤ−ＲＯＭやＢｌｕ−ｒａｙ（登録商標）ディスクなどの光ディスク（コンピュータ読み取り可能な情報記憶媒体）を読み取る光ディスクドライブ部、等を備えている。
【００２５】
また、本実施形態に係るクライアント１６には、ウェブブラウザが予めインストールされている。そして、本実施形態では、クライアント１６が、ウェブブラウザを通じて分析システム１０にアクセスし、分析システム１０に登録されているユーザＩＤ及びパスワードを入力してログインしてから、その後に所定のＵＲＬにアクセスすると、クライアント１６のディスプレイに所定のＵＲＬに対応する画面が表示される。また、本実施形態では、クライアント１６が、ウェブブラウザを通じてソーシャルメディアシステム１２にアクセスし、ソーシャルメディアシステム１２に登録されているユーザのユーザＩＤ及びパスワードを入力してログインしてから、その後に所定のＵＲＬにアクセスすると、クライアント１６のディスプレイに所定のＵＲＬに対応する画面が表示される。なお、分析システム１０やソーシャルメディアシステム１２では、ユーザＩＤ及びパスワードが入力された後は、例えば、セッションＩＤを参照すること等により、クライアント１６を利用するユーザのユーザＩＤを特定することができるようになっている。
【００２６】
本実施形態に係るソーシャルメディアシステム１２は、ブログ記事やコメント等のコンテンツの投稿をクライアント１６から受け付けることができるようになっている。そして、投稿されたコンテンツは、ソーシャルメディアシステム１２が備える記憶部に記憶される。そして、ソーシャルメディアシステム１２は、クライアント１６からの要求に応じて、投稿されたコンテンツをクライアント１６に送信する。クライアント１６は、コンテンツを受信するとディスプレイに表示出力する。このようにして、ユーザにより投稿されたコンテンツが公開されることとなる。
【００２７】
図２は、本実施形態に係る分析システム１０で実現される機能の一例を示す機能ブロック図である。図２に示すように、分析システム１０は、機能的には、データ記憶部２０、データ取得部２２、ユーザ特定部２４、ウェブサイト特定部２６、ウェブサイト特徴量算出部２８、ユーザ特徴量算出部３０、ウェブページ生成部３２、ウェブページ出力部３４、を含んでいる。データ記憶部２０は、分析システム１０が備える記憶部を主として実現されている。その他の要素は、分析システム１０が備える制御部を主として実現されている。
【００２８】
これらの機能は、コンピュータである分析システム１０で、本実施形態に係るプログラムが実行されることにより実現される。このプログラムは、コンピュータ通信ネットワーク経由で通信インタフェースを介して他のコンピュータからダウンロードされてもよいし、光ディスク（例えば、ＣＤ−ＲＯＭ、ＤＶＤ−ＲＯＭ、Ｂｌｕ−ｒａｙディスクなど）、ＵＳＢメモリ等のコンピュータ読み取り可能な情報記憶媒体に格納され、そこから光ディスクドライブやＵＳＢ（Universal Serial Bus）ポートなどを介して分析システム１０にインストールされてもよい。
【００２９】
本実施形態に係る分析システム１０は、ソーシャルメディアシステム１２に登録されているブログ記事やコメント等のコンテンツに基づいて、ユーザとウェブサイトとの関連についての分析処理を実行する。ここで、本実施形態に係る分析システム１０で行われる、分析処理の流れの一例を、図３に示すフロー図を参照しながら説明する。なお、本実施形態では、データ記憶部２０に、予め、互いに異なるデータ取得の際の条件（例えば、シードデータが示すＵＲＬにより所在が表されたウェブページに含まれるコンテンツであること、シードデータが示すキーワードが含まれるコンテンツであること、など）を示すシードデータが複数記憶されていることとする。そして、本実施形態では、複数のシードデータのそれぞれを基礎とした以下の処理が並行して実行される。
【００３０】
まず、データ取得部２２が、ソーシャルメディアシステム１２から、シードデータが示す条件を満足するコンテンツ（例えば、シードデータが示すＵＲＬにより所在が表されたウェブページに含まれるコンテンツ、シードデータが示すキーワードが含まれるコンテンツ、等）を取得する（Ｓ１０１）。本処理例では、このようにして取得されるコンテンツには、例えば、コンテンツを投稿したユーザの識別子であるユーザＩＤ、及び、コンテンツが投稿された投稿日時、が関連付けられている。
【００３１】
そして、ユーザ特定部２４が、Ｓ１０１に示す処理で取得したコンテンツに関連付けられているユーザＩＤにより識別されるユーザを着目ユーザとして特定する（Ｓ１０２）。本処理例では、複数のユーザが着目ユーザとして特定されたこととする。そして、ユーザ特定部２４は、図４に示す対応関係管理データ４０を生成してデータ記憶部２０に記憶させる（Ｓ１０３）。
【００３２】
対応関係管理データ４０は、ユーザとウェブサイトとの関連を管理するデータであり、図４に示すように、例えば、対応関係管理データ４０の識別子である対応関係管理ＩＤ、上述のシードデータ、対応関係管理データ４０に対応付けられるＹ評価点数、対応関係管理データ４０に対応付けられるＮ評価点数、Ｓ１０２に示す処理で特定された着目ユーザのユーザＩＤである着目ユーザＩＤ、後述の処理で特定される着目ＵＲＬ、が含まれている。対応関係管理データ４０に複数の着目ユーザＩＤが含まれることもあれば、対応関係管理データ４０に含まれる着目ユーザＩＤの値は空であることもある。また、対応関係管理データ４０に複数の着目ＵＲＬが含まれることもあれば、対応関係管理データ４０に含まれる着目ＵＲＬの値は空であることもある。そして、着目ユーザＩＤには、ユーザスコア、着目ユーザＩＤに対応付けられるＹ評価点数、着目ユーザＩＤに対応付けられるＮ評価点数、が関連付けられており、着目ＵＲＬには、ウェブサイトスコア、着目ＵＲＬに対応付けられるＹ評価点数、着目ＵＲＬに対応付けられるＮ評価点数が関連付けられている。ユーザスコア、ウェブサイトスコア、Ｙ評価点数、及び、Ｎ評価点数の詳細については後述する。Ｓ１０３に示す処理において生成される対応関係管理データ４０については、着目ＵＲＬ、ユーザスコア、ウェブサイトスコア、の値は空であり、Ｙ評価点数、Ｎ評価点数には初期値（本実施形態では、０）が設定される。なお、図４には、Ｓ１０３に示す処理が終了した時点における対応関係管理データ４０の一例が示されている。図４に示すように、対応関係管理データ４０によって、着目ユーザ同士が関連付けられることとなる。
【００３３】
そして、データ取得部２２が、特定された着目ユーザのいずれかによって投稿されたコンテンツ（ブログ記事やコメント等）をソーシャルメディアシステム１２から取得する（Ｓ１０４）。本処理例では、データ取得部２２は、Ｓ１０４に示す処理において複数のソーシャルメディアシステム１２からコンテンツを取得する。そして、ウェブサイト特定部２６が、Ｓ１０４に示す処理で取得されたコンテンツに含まれるＵＲＬを特定する（Ｓ１０５）。本処理例では、複数のＵＲＬが特定されたこととする。Ｓ１０５に示す処理では、例えば、ブログ記事やコメントの一部としてユーザにより記載されたＵＲＬが特定されることとなる。そして、このようにして特定されたＵＲＬは、ＵＲＬにより所在が表されたウェブサイト（本実施形態では、ウェブサイトは、少なくとも１つのウェブページから構成される。）と対応付けられる。すなわち、Ｓ１０５に示す処理において、ウェブサイト特定部２６は、Ｓ１０４に示す処理で取得したコンテンツに含まれるＵＲＬに対応付けられるウェブサイトを特定したこととなる。なお、ＵＲＬにより所在が表されたウェブサイトは、ソーシャルメディアシステム１２が提供するウェブサイトである可能性もあれば、ウェブサーバ１４が提供するウェブサイトである可能性もある。
【００３４】
そして、ウェブサイト特徴量算出部２８が、Ｓ１０５に示す処理で特定されたＵＲＬのそれぞれに対応付けられる特徴量（すなわち、ウェブサイトに対応付けられる特徴量）を算出する（Ｓ１０６）。以下、このようにして算出される特徴量をウェブサイト特徴量と呼ぶこととする。本実施形態では、ウェブサイト特徴量算出部２８は、複数のパラメータの値を、それぞれに所与の重み付け係数を乗じた上で合計した値を、特徴量を表すスコア（本処理例では、ウェブサイトスコアと呼ぶこととする。）として算出する。なお、ウェブサイト特徴量算出部２８は、例えば、複数のパラメータの値それぞれを成分とするベクトルをウェブサイト特徴量として算出するようにしてもよい。
【００３５】
ＵＲＬに対応するウェブサイトスコアの算出の基礎となるパラメータとしては、例えば、（１）当該ＵＲＬをコンテンツの一部として記載した着目ユーザの数、（２）着目ユーザの総数に対する、当該ＵＲＬをコンテンツの一部として記載した着目ユーザの割合、（３）当該ＵＲＬが含まれるコンテンツの数、（４）当該ＵＲＬを含むブログ記事やコメントの投稿やブックマークの設定を行ったユーザの数、（５）当該ＵＲＬを含むコンテンツに含まれる平均リンク数、（６）当該ＵＲＬをコンテンツの一部として含むｔｗｉｔｔｅｒのウェブページにおける、同一のハッシュタグ内リンク数、（７）当該ＵＲＬをコンテンツの一部として含むソーシャルブックマークサービスのウェブページにおける、同一のユーザにおける同一のタグブックマーク数、（８）ユーザによる投稿の平均時間間隔を全ユーザについて平均した値、（９）ユーザにより投稿されるコンテンツ間の平均コンテンツ数を全ユーザについて平均した値、（１０）当該ＵＲＬが記載されたウェブページの最近におけるアクセス数、アクセス数の増加量、又は、アクセス数の増加率、（１１）全文検索エンジン等で計算可能である、当該ＵＲＬが記載されたウェブページのベースＵＲＬと当該ウェブページの主要部分又は全文との類似度、（１２）当該ＵＲＬが記載されたウェブページのタイトルが当該ウェブページの主要部分又は全文に含まれる割合、（１３）当該ＵＲＬが記載されたウェブページのタイトルの長さ、（１４）当該ＵＲＬが記載されたウェブページに含まれるコンテンツから公知の専門用語検出エンジンで抽出される文字列の数、（１５）同一のユーザによる連続投稿の数の全投稿に対する比率、（１６）同一のユーザにより直前の投稿から所定時間以内（例えば、１時間以内や１日以内）に投稿された投稿数の全投稿に対する割合、（１７）当該ＵＲＬが記載されたウェブページの本文に当該ＵＲＬが含まれている数、（１８）当該ＵＲＬが含まれるコンテンツの平均出現頻度、（１９）タグの出現数、等が挙げられる。
【００３６】
そして、ウェブサイト特定部２６が、Ｓ１０６に示す処理で算出された特徴量が所定の条件を満足するＵＲＬ（例えば、ウェブサイトスコアが所定値以上であるＵＲＬ、など）を着目ＵＲＬとして特定する（Ｓ１０７）。本処理例では、複数のＵＲＬが着目ＵＲＬとして特定されたこととする。また、本実施形態では、着目ＵＲＬに対応付けられるウェブサイトを着目ウェブサイトと呼ぶこととする。すなわち、Ｓ１０７に示す処理では、着目ウェブサイトが特定されたこととなる。そして、ウェブサイト特定部２６は、Ｓ１０７に示す処理で特定されたＵＲＬ及びＵＲＬに対応付けられるウェブサイトスコアを、Ｓ１０３に示す処理で生成された対応関係管理データ４０に含まれる着目ＵＲＬ及び着目ＵＲＬに関連付けられるウェブサイトスコアとして設定する（Ｓ１０８）。また、このとき、着目ＵＲＬに対応付けられるＹ評価点数及びＮ評価点数の値としては、初期値（本実施形態では、０）が設定される。図５に、Ｓ１０８に示す処理が終了した時点における対応関係管理データ４０の一例を示す。図５に示すように、対応関係管理データ４０によって、着目ＵＲＬ同士が関連付けられることとなる。そして、ウェブサイト特定部２６は、所定の条件を満足するか否か（例えば、Ｓ１０７に示す処理の実行が所定回数に達したか否か、特定された着目ウェブサイト数が所定数以上であるか否か、Ｓ１０７に示す処理が複数回実行された場合において前回の実行において特定された着目ウェブサイト数と今回の実行において特定された着目ウェブサイト数との差が所定数以下であるか否か、Ｓ１０７に示す処理が複数回実行された場合において前回の実行において特定された着目ウェブサイトのウェブサイトスコアと今回の実行において特定された着目ウェブサイトのウェブサイトスコアとの差が所定値以下であるか否か、など）を確認する（Ｓ１０９）。所定の条件を満足する場合は（Ｓ１０９：Ｙ）、本処理例に示す処理を終了する。
【００３７】
そうでない場合は、（Ｓ１０９：Ｎ）、データ取得部２２は、ソーシャルメディアシステム１２から、いずれかの着目ＵＲＬが含まれているという条件を満足するコンテンツを取得する（Ｓ１１０）。そして、ユーザ特定部２４は、Ｓ１１０に示す処理で取得されたコンテンツに関連付けられているユーザＩＤを特定する（Ｓ１１１）。本処理例では、複数のユーザＩＤが特定されたこととする。そして、ユーザ特徴量算出部３０は、Ｓ１１０に示す処理で取得されたコンテンツに基づいて、Ｓ１１１に示す処理で特定されたユーザＩＤにより識別されるユーザのそれぞれに対応付けられる特徴量を算出する（Ｓ１１２）。以下、このようにして算出される特徴量をユーザ特徴量と呼ぶこととする。本実施形態では、ユーザ特徴量算出部３０は、複数のパラメータの値を、それぞれに所与の重み付け係数を乗じた上で合計した値を、特徴量を表すスコア（本処理例では、ユーザスコアと呼ぶこととする。）として算出する。なお、ユーザ特徴量は、例えば、複数のパラメータの値それぞれを成分とするベクトルをユーザ特徴量として算出するようにしてもよい。
【００３８】
ユーザスコアの算出の基礎となるパラメータとしては、例えば、（１）当該ユーザにより投稿されたコンテンツに含まれる着目ＵＲＬの数、（２）当該ユーザにより投稿されたコンテンツにおける１日あたりの着目ＵＲＬの記載回数、（３）当該ユーザにより投稿されたコンテンツにおける１回の投稿で用いられるタグの数、（４）当該ユーザの１日あたりの投稿数、（５）当該ユーザにより投稿されたコンテンツが他のユーザから参照された回数、（６）ｔｗｉｔｔｅｒにおいてフォローされているユーザ数、（７）当該ユーザにより投稿されたコンテンツに含まれる文字列と他のユーザにより投稿されたコンテンツに含まれる文字列との重複度の高さ又は低さ、等が挙げられる。
【００３９】
そして、ユーザ特定部２４が、Ｓ１１２に示す処理で算出された特徴量が所定の条件を満足するユーザ（例えば、ユーザスコアが所定値以上であるユーザなど）を、新たな着目ユーザとして特定する（Ｓ１１３）。そして、ユーザ特定部２４は、Ｓ１１３に示す処理で特定された新たな着目ユーザのユーザＩＤ及び当該着目ユーザのユーザスコアが、対応関係管理データ４０に含まれる着目ユーザＩＤ及び着目ユーザＩＤに関連付けられるユーザスコアとして設定されるよう、対応関係管理データ４０を更新する（Ｓ１１４）。図６に、Ｓ１１４に示す処理が終了した時点における対応関係管理データ４０の一例を示す。
【００４０】
ここで、Ｓ１０２に示す処理では着目ユーザとして特定されていなかったユーザが、新たに追加される着目ユーザとして他の着目ユーザと関連付けられる可能性もあれば、Ｓ１０２に示す処理で着目ユーザとして特定されたユーザが、Ｓ１１３に示す処理では着目ユーザとして特定されず、他の着目ユーザとの関連付けが解除される可能性もある。そして、ユーザ特定部２４は、所定の条件を満足するか否か（例えば、Ｓ１１３に示す処理の実行が所定回数に達したか否か、特定された着目ユーザ数が所定数以上であるか否か、Ｓ１１３に示す処理が複数回実行された場合において前回の実行において特定された着目ユーザ数と今回の実行において特定された着目ユーザ数との差が所定数以下であるか否か、Ｓ１１３に示す処理が複数回実行された場合において前回の実行において特定された着目ユーザのユーザスコアと今回の実行において特定された着目ユーザのユーザスコアとの差が所定値以下である、などか否か）を確認する（Ｓ１１５）。所定の条件を満足する場合は（Ｓ１１５：Ｙ）、本処理例に示す処理を終了する。
【００４１】
そうでない場合は（Ｓ１１５：Ｎ）、Ｓ１０４以降に示す処理を再度実行する。図７に、Ｓ１０８に示す処理が再度実行された後における対応関係管理データ４０の一例を示す。
【００４２】
ここで、着目ウェブサイトとして特定されていなかったウェブサイトが、Ｓ１０７に示す処理の再度の実行によって新たに追加される着目ウェブサイトとして特定されて、他の着目ウェブサイトと関連付けられる可能性もあれば、着目ウェブサイトとして特定されていたウェブサイトが、Ｓ１０７に示す処理の再度の実行によって着目ウェブサイトとして特定されず、他の着目ウェブサイトとの関連付けが解除される可能性もある。
【００４３】
本実施形態では、互いに異なる複数のシードデータに基づいて、上述の処理例に示す処理が並行して実行されるため、着目ユーザＩＤと着目ＵＲＬとの組合せが互いに異なる複数の対応関係管理データ４０が生成されることとなる。
【００４４】
本実施形態では、上述の処理が実行され、複数の対応関係管理データ４０が生成された後に、分析システム１０のユーザが、クライアント１６から分析システム１０にログインすると、ウェブページ出力部３４が、トップページ（図示せず）をクライアント１６に出力する。クライアント１６は、トップページを受け付けるとディスプレイに表示する。トップページには、場一覧ページ５０（図８参照）へのリンク、着目ユーザ一覧ページ６４（図１１参照）へのリンク、及び、対応関係表示ページ７４（図１３参照）へのリンク、が含まれている。
【００４５】
そして、ユーザが、場一覧ページ５０へのリンクをクリックすると、ウェブページ生成部３２が、場一覧ページ５０を生成する。図８は、場一覧ページ５０の一例を示す図である。場一覧ページ５０には、それぞれが対応関係管理データ４０に対応付けられる場情報配置領域５２が複数含まれる。そして、場情報配置領域５２には、例えば、Ｙ評価ボタン、Ｎ評価ボタン、場代表タイトル、特徴語、ドメイン名、着目ユーザ比率、投稿傾向グラフ、が含まれている。また、場代表タイトル及び着目ユーザ比率はリンクとして設定されている。
【００４６】
ウェブページ生成部３２は、例えば、対応関係管理データ４０に含まれるそれぞれの着目ＵＲＬにより所在が表されたウェブサイトに基づいて特定される文字列（例えば、着目ＵＲＬにより所在が表されたウェブサイトのうちから選択される、代表ウェブサイトのタイトル、着目ＵＲＬにより所在が表されたウェブサイトにおいてタイトルとして最も多く含まれている語句、等）を場代表タイトルとして場情報配置領域５２に配置する。また、ウェブページ生成部３２は、対応関係管理データ４０に含まれるそれぞれの着目ＵＲＬにより所在が表されたウェブサイトを構成するウェブページに含まれる文章から形態素解析等により抽出される文字列（例えば、含まれる個数が所定数以上である文字列）を特徴語として場情報配置領域５２に配置する。なお、ウェブページ生成部３２は、複数の特徴語を場情報配置領域５２に配置するようにしてもよい。また、ウェブページ生成部３２は、着目ＵＲＬにより所在が表されたウェブサイトの属するドメインの名称をドメイン名として場情報配置領域５２に配置する。なお、ウェブページ生成部３２は、複数のドメイン名を場情報配置領域５２に配置するようにしてもよい。また、ウェブページ生成部３２は、着目ＵＲＬが記載されたコンテンツの投稿を行った着目ユーザの数の、着目ＵＲＬが記載されたコンテンツの投稿を行った全ユーザの数に対する比率を着目ユーザ比率として場情報配置領域５２に配置する。
【００４７】
また、ウェブページ生成部３２は、着目ＵＲＬが含まれるコンテンツの投稿の単位時間あたりの数の時間変化を表すグラフを投稿傾向グラフとして場情報配置領域５２に配置する。また、ウェブページ生成部３２は、投稿傾向グラフに基づいて算出される投稿傾向が増加傾向にあると判定される場合（例えば、回帰直線の傾きが正であり傾きの絶対値が所定値よりも大きい場合）は、場が今後盛り上がる傾向にあることを表す傾向図形５４（例えば、上向きの矢印を表す傾向図形５４）を場情報配置領域５２に配置し、投稿傾向グラフに基づいて算出される投稿傾向が減少傾向にあると判定される場合（例えば、回帰直線の傾きが負であり傾きの絶対値が所定値よりも大きい場合）は、場が今後盛り下がる傾向にあることを表す傾向図形５４（例えば、下向きの矢印を表す傾向図形５４）を場情報配置領域５２に配置する。
【００４８】
以上のようにして、場一覧ページ５０が生成される。そして、ウェブページ出力部３４が、生成された場一覧ページ５０をクライアント１６に出力する。クライアント１６は、場一覧ページ５０を受け付けるとそのページをディスプレイに表示する。
【００４９】
本実施形態では、分析システム１０のユーザには、有用な情報が得られたと評価する場合には、Ｙ評価ボタンをクリックし、有用な情報が得られなかったと評価する場合には、Ｎ評価ボタンをクリックするよう予め案内されている。そして、ユーザが、場情報配置領域５２に配置されているＹ評価ボタンをクリックすると、ウェブページ生成部３２は、Ｙ評価ボタンに対応する対応関係管理データ４０における、対応関係管理データ４０に対応付けられるＹ評価点数の値を１増加させる。一方、ユーザが、場情報配置領域５２に配置されているＮ評価ボタンをクリックすると、ウェブページ生成部３２は、Ｎ評価ボタンに対応する対応関係管理データ４０における、対応関係管理データ４０に対応付けられるＮ評価点数の値を１増加させる。
【００５０】
ユーザが、場情報配置領域５２に配置されている場代表タイトルをクリックすると、ウェブページ生成部３２は、図９に例示する場詳細ページ５６を生成する。場詳細ページ５６は、クリックされた場代表タイトルに対応付けられる対応関係管理データ４０に基づいて生成されるウェブページである。そして、場詳細ページ５６には、場情報配置領域５２、及び、場詳細情報配置領域５８が含まれている。場情報配置領域５２には、場一覧ページ５０における、クリックされた場代表タイトルに対応する場情報配置領域５２に含まれる情報が配置される。場詳細情報配置領域５８には、Ｙ評価ボタン、Ｎ評価ボタン、タイトル、ドメイン名、及び、着目ユーザ比率、の組合せが、少なくとも１つ配置される。そして、それぞれの組合せは、クリックされた場代表タイトルに対応付けられる対応関係管理データ４０に含まれる着目ＵＲＬと一対一で対応付けられる。また、場情報配置領域５２に配置されている着目ユーザ比率、及び、場詳細情報配置領域５８に配置されているタイトルは、リンクとして設定されている。
【００５１】
ウェブページ生成部３２は、例えば、対応関係管理データ４０に含まれるそれぞれの着目ＵＲＬについて、当該着目ＵＲＬにより所在が表されたウェブサイトのタイトルを場詳細情報配置領域５８に配置し、当該着目ＵＲＬにより所在が表されたウェブサイトのドメインの名称をドメイン名として場詳細情報配置領域５８に配置し、当該着目ＵＲＬを含むコンテンツの投稿を行った着目ユーザの数の、当該着目ＵＲＬを含むコンテンツの投稿を行った全ユーザの数に対する比率を着目ユーザ比率として場詳細情報配置領域５８に配置する。
【００５２】
以上のようにして、場詳細ページ５６が生成される。そして、ウェブページ出力部３４が、生成された場詳細ページ５６をクライアント１６に出力する。クライアント１６は、場詳細ページ５６を受け付けるとそのページをディスプレイに表示する。
【００５３】
場詳細ページ５６においても、場情報配置領域５２に配置されているＹ評価ボタンをユーザがクリックすると、ウェブページ生成部３２は、Ｙ評価ボタンに対応する対応関係管理データ４０における、対応関係管理データ４０に対応付けられるＹ評価点数の値を１増加させる。一方、場詳細ページ５６においても、場情報配置領域５２に配置されているＮ評価ボタンをユーザがクリックすると、ウェブページ生成部３２は、Ｎ評価ボタンに対応する対応関係管理データ４０における、対応関係管理データ４０に対応付けられるＮ評価点数の値を１増加させる。
【００５４】
また、場詳細情報配置領域５８に配置されているＹ評価ボタンをクリックすると、ウェブページ生成部３２は、場詳細ページ５６に対応付けられる対応関係管理データ４０において、クリックされたＹ評価ボタンに対応する着目ＵＲＬに対応付けられるＹ評価点数の値を１増加させる。一方、ユーザが、場情報配置領域５２に配置されているＮ評価ボタンをクリックすると、ウェブページ生成部３２は、場詳細ページ５６に対応付けられる対応関係管理データ４０において、クリックされたＮ評価ボタンに対応する着目ＵＲＬに対応付けられるＮ評価点数の値を１増加させる。
【００５５】
場詳細情報配置領域５８に配置されているタイトルは、タイトルに対応付けられるＵＲＬにより特定されるウェブページへのリンクとなっており、ユーザがタイトルをクリックすると、タイトルに対応付けられるＵＲＬにより特定されるウェブページがクライアント１６のディスプレイに表示されることとなる。
【００５６】
ユーザが、場一覧ページ５０に含まれる場情報配置領域５２に配置されている着目ユーザ比率、又は、場詳細ページ５６に含まれる場情報配置領域５２に配置されている着目ユーザ比率をクリックすると、ウェブページ生成部３２は、図１０に例示する場関連着目ユーザ一覧ページ６０を生成する。場関連着目ユーザ一覧ページ６０は、クリックされた着目ユーザ比率に対応付けられる対応関係管理データ４０に基づいて生成されるウェブページである。そして、場関連着目ユーザ一覧ページ６０には、場情報配置領域５２、及び、場関連着目ユーザ情報配置領域６２が含まれている。場情報配置領域５２には、クリックされた着目ユーザ比率に対応する場情報配置領域５２に含まれる情報（図８に示す場一覧ページ５０に含まれる場情報配置領域５２に配置されている情報と同様の情報）が配置される。場関連着目ユーザ情報配置領域６２には、Ｙ評価ボタン、Ｎ評価ボタン、着目ユーザ名、及び、関連タイトル、の組合せが、少なくとも１つ配置される。そして、それぞれの組合せは、クリックされた着目ユーザ比率に対応付けられる対応関係管理データ４０に含まれる着目ユーザＩＤと一対一で対応付けられる。また、場情報配置領域５２に配置されている場代表タイトル、場関連着目ユーザ情報配置領域６２に配置されている着目ユーザ名、関連タイトルは、リンクとして設定されている。
【００５７】
ウェブページ生成部３２は、例えば、場関連着目ユーザ一覧ページ６０に対応付けられる対応関係管理データ４０に含まれる着目ユーザＩＤのそれぞれについて、当該着目ユーザＩＤに基づいて特定されるユーザ名を着目ユーザ名として場関連着目ユーザ情報配置領域６２に配置し、当該着目ユーザＩＤに基づいて特定されるユーザにより投稿されたコンテンツに含まれるＵＲＬであり、かつ、いずれかの対応関係管理データ４０に含まれる着目ＵＲＬであるＵＲＬにより所在が表されたウェブサイトのタイトルを関連タイトルとして場関連着目ユーザ情報配置領域６２に配置する。なお、このとき、ウェブページ生成部３２は、着目ユーザＩＤを着目ユーザ名として場関連着目ユーザ情報配置領域６２に配置するようにしてもよい。また、ウェブページ生成部は、着目ユーザＩＤに基づいて特定されるユーザにより投稿されたコンテンツに含まれる着目ＵＲＬが複数特定される場合は、複数のタイトルを関連タイトルとして場関連着目ユーザ情報配置領域６２に配置するようにしてもよい。
【００５８】
なお、本実施形態では、場関連着目ユーザ一覧ページ６０に対応付けられる対応関係管理データ４０に含まれる着目ＵＲＬ以外の着目ＵＲＬにより所在が表されたウェブサイトのタイトルについても、関連タイトルとして場関連着目ユーザ情報配置領域６２に配置される。そして、本実施形態では、場関連着目ユーザ一覧ページ６０に含まれる場情報配置領域５２に対応付けられる対応関係管理データ４０に含まれる着目ＵＲＬにより特定されるウェブページのタイトルについては、他のタイトルよりも太字で表記される、他のタイトルよりも大きく表記される、などのような強調表示がされることとなる。
【００５９】
以上のようにして、場関連着目ユーザ一覧ページ６０が生成される。そして、ウェブページ出力部３４が、生成された場関連着目ユーザ一覧ページ６０をクライアント１６に出力する。クライアント１６は、場関連着目ユーザ一覧ページ６０を受け付けるとそのページをディスプレイに表示する。
【００６０】
場関連着目ユーザ一覧ページ６０においても、場情報配置領域５２に配置されているＹ評価ボタンをユーザがクリックすると、ウェブページ生成部３２は、Ｙ評価ボタンに対応する対応関係管理データ４０における、対応関係管理データ４０に対応付けられるＹ評価点数の値を１増加させる。一方、場関連着目ユーザ一覧ページ６０においても、場情報配置領域５２に配置されているＮ評価ボタンをユーザがクリックすると、ウェブページ生成部３２は、Ｎ評価ボタンに対応する対応関係管理データ４０における、対応関係管理データ４０に対応付けられるＮ評価点数の値を１増加させる。
【００６１】
また、ユーザが、場関連着目ユーザ情報配置領域６２に配置されているＹ評価ボタンをクリックすると、ウェブページ生成部３２は、場関連着目ユーザ一覧ページ６０に対応付けられる対応関係管理データ４０において、クリックされたＹ評価ボタンに対応する着目ユーザＩＤに対応付けられるＹ評価点数の値を１増加させる。一方、ユーザが、場情報配置領域５２に配置されているＮ評価ボタンをクリックすると、ウェブページ生成部３２は、場関連着目ユーザ一覧ページ６０に対応付けられる対応関係管理データ４０において、クリックされたＮ評価ボタンに対応する着目ユーザＩＤに対応付けられるＮ評価点数の値を１増加させる。
【００６２】
場関連着目ユーザ情報配置領域６２に配置されている着目ユーザ名は、着目ユーザ名により特定されるユーザを代表するウェブページ（ブログのページなど）へのリンクとなっており、ユーザが着目ユーザ名をクリックすると、当該着目ユーザ名により特定されるユーザを代表するウェブページがクライアント１６のディスプレイに表示されることとなる。また、場関連着目ユーザ情報配置領域６２に配置されている関連タイトルは、関連タイトルに対応付けられるＵＲＬにより特定されるウェブページへのリンクとなっており、ユーザが関連タイトルをクリックすると、関連タイトルに対応付けられるＵＲＬにより特定されるウェブページがクライアント１６のディスプレイに表示されることとなる。
【００６３】
また、場関連着目ユーザ一覧ページ６０においても、ユーザが、場情報配置領域５２に配置されている場代表タイトルをクリックすると、ウェブページ生成部３２は、場代表タイトルに対応付けられる場詳細ページ５６を生成する。その結果、クライアント１６のディスプレイには場詳細ページ５６が表示されることとなる。
【００６４】
ユーザが、トップページに含まれる着目ユーザ一覧ページ６４へのリンクをクリックすると、ウェブページ生成部３２が、着目ユーザ一覧ページ６４を生成する。図１１は着目ユーザ一覧ページ６４の一例を示す図である。着目ユーザ一覧ページ６４は、データ記憶部２０に記憶されている対応関係管理データ４０のいずれかに含まれる着目ユーザＩＤに対応付けられるユーザが一覧として表示されるウェブページである。着目ユーザ一覧ページ６４には、着目ユーザ情報配置領域６６が含まれている。そして、着目ユーザ情報配置領域６６には、Ｙ評価ボタン、Ｎ評価ボタン、着目ユーザ名、ユーザスコア、及び、評価代表タイトル、の組合せが少なくとも１つ含まれている。そして、それぞれの組合せは、いずれかの対応関係管理データ４０に含まれる着目ユーザＩＤと一対一で対応付けられる。また、着目ユーザ情報配置領域６６に配置されている着目ユーザ名及び評価代表タイトルはリンクとして設定されている。
【００６５】
ウェブページ生成部３２は、例えば、対応関係管理データ４０のいずれかに含まれる着目ユーザＩＤのそれぞれについて、当該着目ユーザＩＤに基づいて特定されるユーザ名を着目ユーザ名として着目ユーザ情報配置領域６６に配置し、当該着目ユーザＩＤに基づいて特定されるユーザのユーザスコアを着目ユーザ情報配置領域６６に配置し、当該着目ユーザＩＤを含む対応関係管理データ４０であって、対応関係管理データ４０に対応付けられるＹ評価点数の値が所定値以上（例えば、１以上）である対応関係管理データ４０に対応する場代表タイトルを評価代表タイトルとして着目ユーザ情報配置領域６６に配置する。なお、このとき、ウェブページ生成部３２は、着目ユーザＩＤを着目ユーザ名として着目ユーザ情報配置領域６６に配置するようにしてもよい。また、ウェブページ生成部３２は、評価代表タイトルが複数特定された場合には、複数の評価代表タイトルを着目ユーザ情報配置領域６６に配置するようにしてもよい。
【００６６】
また、本実施形態では、ウェブページ生成部３２は、着目ユーザ名に対応付けられる着目ユーザの投稿傾向（例えば、他のユーザよりも着目ＵＲＬを含むコンテンツの投稿を、単位時間あたりの着目ＵＲＬを含むコンテンツの投稿数のピークが到来するよりも早い時期に行う傾向にある（先読み）、投稿するコンテンツに着目ＵＲＬが含まれている比率が高い（高打率）など）を特定して、投稿傾向を表すユーザ投稿傾向図形６８を、対応する着目ユーザ名に対応付けられる位置（例えば、対応する着目ユーザ名の左側）に配置する。
【００６７】
以上のようにして、着目ユーザ一覧ページ６４が生成される。そして、ウェブページ出力部３４が、生成された着目ユーザ一覧ページ６４をクライアント１６に出力する。クライアント１６は、着目ユーザ一覧ページ６４を受け付けるとそのページをディスプレイに表示する。
【００６８】
また、本実施形態では、ウェブページ生成部３２は、着目ユーザ一覧ページ６４を生成する際に、着目ユーザ一覧ページ６４に含まれる着目ユーザ名に対応付けられる着目ユーザのそれぞれについて、着目ユーザＩＤ、初期値として０が設定されたＹ評価点数、及び、初期値として０が設定されたＮ評価点数、が含まれるユーザ評価管理データを生成してデータ記憶部２０に記憶させる。なお、このとき、ウェブページ生成部３２は、データ記憶部２０に既に記憶されているユーザ評価管理データについては、ユーザ評価管理データの生成を行わない。
【００６９】
また、ユーザが、着目ユーザ情報配置領域６６に配置されているＹ評価ボタンをクリックすると、ウェブページ生成部３２は、対応する着目ユーザＩＤに対応付けられるユーザ評価管理データに含まれるＹ評価点数の値を１増加させる。一方、ユーザが、着目ユーザ情報配置領域６６に配置されているＮ評価ボタンをクリックすると、ウェブページ生成部３２は、対応する着目ユーザＩＤに対応付けられるユーザ評価管理データに含まれるＮ評価点数の値を１増加させる。
【００７０】
ユーザが、着目ユーザ情報配置領域６６に配置されている評価代表タイトルをクリックすると、ウェブページ生成部３２が、評価代表タイトルに対応付けられる場詳細ページ５６を生成する。その結果、クライアント１６のディスプレイには場詳細ページ５６が表示されることとなる。
【００７１】
ユーザが、着目ユーザ情報配置領域６６に配置されている着目ユーザ名をクリックすると、ウェブページ生成部３２が、図１２に例示する着目ユーザ詳細ページ７０を生成する。着目ユーザ詳細ページ７０は、クリックされた着目ユーザ名に対応付けられる着目ユーザＩＤに基づいて生成されるウェブページである。そして、着目ユーザ詳細ページ７０には、着目ユーザ情報配置領域６６、及び、着目ユーザ詳細情報配置領域７２が含まれている。着目ユーザ情報配置領域６６には、クリックされた着目ユーザ名に対応付けられる、Ｙ評価ボタン、Ｎ評価ボタン、着目ユーザ名、ユーザスコア、及び、少なくとも１つの評価代表タイトル、の組合せが配置される。着目ユーザ詳細情報配置領域７２には、Ｙ評価ボタン、Ｎ評価ボタン、場代表タイトル、タイトル、の組合せが少なくとも１つ配置される。それぞれの組合せは、クリックされた着目ユーザ名に対応する着目ユーザＩＤが含まれる対応関係管理データ４０と一対一で対応付けられる。着目ユーザ情報配置領域６６に配置されている着目ユーザ名及び評価代表タイトル、着目ユーザ詳細情報配置領域７２に配置されている場代表タイトル及びタイトルはリンクとして設定されている。
【００７２】
ウェブページ生成部３２は、例えば、クリックされた着目ユーザ名に対応する着目ユーザＩＤを含む対応関係管理データ４０のそれぞれについて、当該対応関係管理データ４０に対応する場代表タイトル、及び、当該対応関係管理データ４０に含まれる着目ＵＲＬに対応するウェブページのタイトルを、着目ユーザ詳細情報配置領域７２に配置する。なお、このとき、ウェブページ生成部３２は、対応関係管理データ４０に複数の着目ＵＲＬが含まれる場合に、複数のタイトルを着目ユーザ詳細情報配置領域７２に配置するようにしてもよい。
【００７３】
以上のようにして、着目ユーザ詳細ページ７０が生成される。そして、ウェブページ出力部３４が、生成された着目ユーザ詳細ページ７０をクライアント１６に出力する。クライアント１６は、着目ユーザ詳細ページ７０を受け付けるとそのページをディスプレイに表示する。
【００７４】
着目ユーザ詳細ページ７０においても、着目ユーザ情報配置領域６６に配置されているＹ評価ボタンをユーザがクリックすると、ウェブページ生成部３２は、対応する着目ユーザＩＤに対応付けられるユーザ評価管理データに含まれるＹ評価点数の値を１増加させる。一方、着目ユーザ詳細ページ７０においても、着目ユーザ情報配置領域６６に配置されているＮ評価ボタンをユーザがクリックすると、ウェブページ生成部３２は、対応する着目ユーザＩＤに対応付けられるユーザ評価管理データに含まれるＮ評価点数の値を１増加させる。
【００７５】
また、着目ユーザ詳細情報配置領域７２に配置されているＹ評価ボタンをクリックすると、ウェブページ生成部３２は、Ｙ評価ボタンに対応付けられる対応関係管理データ４０において、着目ユーザ詳細ページ７０に対応する着目ユーザＩＤに対応付けられるＹ評価点数の値を１増加させる。一方、ユーザが、着目ユーザ詳細情報配置領域７２に配置されているＹ評価ボタンをクリックすると、ウェブページ生成部３２は、Ｎ評価ボタンに対応付けられる対応関係管理データ４０において、着目ユーザ詳細ページ７０に対応する着目ユーザＩＤに対応付けられるＮ評価点数の値を１増加させる。
【００７６】
着目ユーザ情報配置領域６６に配置されている着目ユーザ名は、着目ユーザ名により特定されるユーザを代表するウェブページ（ブログのページなど）へのリンクとなっており、ユーザが着目ユーザ名をクリックすると、当該着目ユーザ名により特定されるユーザを代表するウェブページがクライアント１６のディスプレイに表示されることとなる。また、ユーザが、着目ユーザ情報配置領域６６に配置されている評価代表タイトルをクリックすると、ウェブページ生成部３２が、評価代表タイトルに対応付けられる場詳細ページ５６を生成する。その結果、クライアント１６のディスプレイには場詳細ページ５６が表示されることとなる。
【００７７】
また、着目ユーザ詳細ページ７０においても、ユーザが、場情報配置領域５２に配置されている場代表タイトルをクリックすると、ウェブページ生成部３２は、場代表タイトルに対応付けられる場詳細ページ５６を生成する。その結果、クライアント１６のディスプレイには場詳細ページ５６が表示されることとなる。
【００７８】
また、ユーザが、着目ユーザ詳細情報配置領域７２に配置されている場代表タイトルをクリックすると、ウェブページ生成部３２は、場代表タイトルに対応付けられる場詳細ページ５６を生成する。その結果、クライアント１６のディスプレイには場詳細ページ５６が表示されることとなる。また、着目ユーザ詳細情報配置領域７２に配置されているタイトルは、タイトルに対応付けられるＵＲＬにより特定されるウェブページへのリンクとなっており、ユーザがタイトルをクリックすると、タイトルに対応付けられるＵＲＬにより特定されるウェブページがクライアント１６のディスプレイに表示されることとなる。
【００７９】
ユーザが、トップページに含まれる対応関係表示ページ７４へのリンクをクリックすると、ウェブページ生成部３２が、対応関係表示ページ７４を生成する。図１３は、対応関係表示ページ７４の一例を示す図である。対応関係表示ページ７４には、それぞれが着目ユーザに対応付けられる着目ユーザ画像７６が左側に配置されており、それぞれが着目ウェブサイトに対応付けられる着目ウェブサイト画像７８が右側に配置されている。本実施形態では、着目ユーザ画像７６は、例えば、顔を表すアイコンの画像であり、着目ウェブサイト画像７８は、例えば、着目ウェブサイト画像７８に対応付けられる着目ウェブサイトを代表するウェブページ（例えば、着目ウェブサイトに対応する着目ＵＲＬによりアドレスが表されるウェブページ）のスクリーンショットの画像である。また、それぞれの着目ユーザ画像７６の左側には、当該着目ユーザ画像７６に対応付けられる着目ユーザのユーザスコアの算出の基礎となるパラメータの値の大きさが表現された棒グラフが配置されている。また、それぞれの着目ウェブサイト画像７８の右側には、当該着目ウェブサイト画像７８に対応付けられる着目ウェブサイトのウェブサイトスコアの算出の基礎となるパラメータの値の大きさが表現された棒グラフ、及び、当該着目ウェブサイト画像７８に対応付けられる着目ＵＲＬが含まれるコンテンツの投稿の単位時間あたりの数の時間変化を表すグラフが配置されている。
【００８０】
本実施形態では、着目ユーザ画像７６の表示態様は、着目ユーザ画像７６に対応付けられる着目ユーザのユーザスコアに応じたものとなっている。例えば、ウェブページ生成部３２は、それぞれの着目ユーザ画像７６を、着目ユーザ画像７６に対応付けられる着目ユーザのユーザスコアが大きいほどそのサイズが大きくなるよう、対応関係表示ページ７４に配置する。また、本実施形態では、着目ウェブサイト画像７８の表示態様は、着目ウェブサイト画像７８に対応付けられる着目ウェブサイトのウェブサイトスコアに応じたものとなっている。例えば、ウェブページ生成部３２は、それぞれ着目ウェブサイト画像７８を、着目ウェブサイト画像７８に対応付けられる着目ウェブサイトのウェブサイトスコアが大きいほどそのサイズが大きくなるよう、対応関係表示ページ７４に配置する。なお、ウェブページ生成部３２は、対応付けられる着目ユーザのユーザスコアに応じた色の着目ユーザ画像７６を対応関係表示ページ７４に配置するようにしてもよい。また、ウェブページ生成部３２は、対応付けられる着目ウェブサイトのウェブサイトスコアに応じた色の着目ウェブサイト画像７８を対応関係表示ページ７４に配置するようにしてもよい。
【００８１】
また、ウェブページ生成部３２は、着目ユーザ画像７６と着目ウェブサイト画像７８との関係の強さを示す情報（図１３の例では、着目ユーザ画像７６と着目ウェブサイト画像７８を結ぶ線である関係線８０）を、着目ユーザ画像７６に対応付けられる着目ユーザによる、着目ウェブサイト画像７８に対応付けられる着目ウェブサイトに関する情報の登録に応じた表示態様で、対応関係表示ページ７４に配置する。本実施形態では、例えば、着目ウェブサイトに対応する着目ＵＲＬが含まれるコンテンツを投稿した順序が早い着目ユーザであるほど、当該着目ウェブサイトに対応する着目ウェブサイト画像７８と当該着目ユーザに対応する着目ユーザ画像７６とを結ぶ関係線８０が太くなり、着目ユーザによって投稿された、着目ウェブサイトに対応する着目ＵＲＬが含まれるコンテンツに対するリアクションが大きい（例えば、当該コンテンツに対するコメントや返信投稿の数が多い、Ｔｗｉｔｔｅｒにおける当該コンテンツについてのリツイートの数が多い、等）ほど、当該着目ウェブサイトに対応する着目ウェブサイト画像７８と当該着目ユーザに対応する着目ユーザ画像７６とを結ぶ関係線８０の色が濃くなるよう、ウェブページ生成部３２は、着目ユーザ画像７６と着目ウェブサイト画像７８とを結ぶ関係線８０を対応関係表示ページ７４に配置する。
【００８２】
また、本実施形態では、場情報配置領域５２、場詳細情報配置領域５８、場関連着目ユーザ情報配置領域６２、着目ユーザ情報配置領域６６、着目ユーザ詳細情報配置領域７２、の表示態様（例えば、背景色）は互いに異なっている。また、本実施形態では、場情報配置領域５２、場詳細情報配置領域５８、の背景色は暖色であり、場関連着目ユーザ情報配置領域６２、着目ユーザ情報配置領域６６、着目ユーザ詳細情報配置領域７２、の背景色は寒色である。
【００８３】
分析システム１０は、以上説明したＹ評価点数やＮ評価点数に基づいて、様々な処理（例えば、着目ユーザの評価や、着目ウェブサイトの評価などといった分析）を行うことができる。
【００８４】
また、分析システム１０は、例えば、評価管理データに含まれるＹ評価点数の値やＮ評価点数の値が所定の条件を満足した（例えば、値の合計が１００を超えた）際に、評価管理データに含まれるＹ評価点数の値やＮ評価点数の値を上述のユーザ特徴量やウェブサイト特徴量の算出の基礎となるパラメータの値として用いて、上述の処理例に示す処理を再度実行するようにしてもよい。分析システム１０は、例えば、上述の処理例に示す処理で算出されるユーザスコアやウェブサイトスコアに対して、Ｙ評価点数の値を加算し、Ｎ評価点数の値を減算することによって補正された、ユーザスコアやウェブサイトスコアに基づいて、着目ユーザＩＤや着目ＵＲＬの特定を行うようにしてもよい。
【００８５】
また、例えば、分析システム１０は、評価管理データに含まれるＹ評価点数とＮ評価点数との大小関係を公知の学習技術によって学習することで、上述のＳ１０７やＳ１１３に示す処理における条件を設定したり変更したりするようにしてもよい。
【００８６】
本実施形態では、以上のようにして、複数の着目ユーザから構成されるユーザ群と複数のウェブページから構成されるウェブページ群とが対応関係管理データ４０によって関連付けられることとなる。
【００８７】
なお、本発明は上述の実施形態に限定されるものではない。
【００８８】
例えば、分析システム１０は、同一のシードデータに基づいて、所定時間間隔で繰り返し上述の処理例に示す処理を実行して、それぞれについて互いに異なる対応関係管理データ４０を生成するようにしてもよい。
【００８９】
また、分析システム１０は、例えば、着目ユーザＩＤあるいは着目ＵＲＬに対応付けられる評価管理データにおいてＮ評価点数の値がＹ評価点数の値よりも所定数大きい、あるいは、所定倍となった、などの条件を満足した場合に、対応する対応関係管理データ４０に含まれる着目ユーザＩＤ、当該着目ユーザＩＤに対応付けられるユーザスコア、当該着目ユーザＩＤに対応付けられるＹ評価点数、及び、当該着目ユーザＩＤに対応付けられるＮ評価点数、あるいは、着目ＵＲＬ、当該着目ＵＲＬに対応付けられるウェブサイトスコア、当該着目ＵＲＬに対応付けられるＹ評価点数、及び、当該着目ＵＲＬに対応付けられるＮ評価点数、を削除するようにしてもよい。また、分析システム１０は、例えば、対応関係管理データ４０に対応付けられる評価管理データにおいてＮ評価点数の値がＹ評価点数の値よりも所定数大きい、あるいは、所定倍となった、などの条件を満足した場合に、対応する対応関係管理データ４０をデータ記憶部２０から削除するようにしてもよい。
【００９０】
また、例えば、ユーザ特徴量の算出の基礎となるパラメータとして、ユーザの投稿傾向（例えば、他のユーザよりも着目ＵＲＬを含むコンテンツの投稿を、単位時間あたりの着目ＵＲＬを含むコンテンツの投稿数のピークが到来するよりも早い時期に行う傾向にある（先読み）か否か、投稿するコンテンツに着目ＵＲＬが含まれている比率が高い（高打率）か否か、など）を用いるようにしてもよい。
【００９１】
また、シードデータが示す条件として、ユーザに関する条件（例えば、他のユーザよりも着目ＵＲＬを含むコンテンツの投稿を、単位時間あたりの着目ＵＲＬを含むコンテンツの投稿数のピークが到来するよりも早い時期に行う傾向にあるユーザのユーザＩＤにより投稿されたコンテンツがウェブページ含まれていること、など）が設定されていてもよい。
【００９２】
また、上述のＳ１０２に示す処理とＳ１０３に示す処理の間に、ユーザ特徴量算出部３０が、Ｓ１０２に示す処理で特定された着目ユーザに対応付けられるユーザ特徴量を算出するようにしてもよい。そして、上述のＳ１０３やＳ１０４に示す処理で、算出されたユーザ特徴量が所定の条件を満足するユーザを着目ユーザとして取り扱うようにしてもよい。
【００９３】
また、データ記憶部２０に、予めシードデータが記憶されている必要はなく、上述のＳ１０１に示す処理で、データ取得部２２が、ソーシャルメディアシステム１２から取得可能なすべてのウェブページを取得するようにしてもよい。
【００９４】
また、本実施形態におけるウェブサイトは、インターネット等のコンピュータネットワーク上に公開されているデジタルコンテンツ、あるいは、デジタルコンテンツの集まりであればよく、ウェブページ（例えば、ｈｔｔｐ：／／で開始されるＵＲＬに対応付けられる１又は複数のウェブページや、ＨＴＴＰプロトコルによってアクセス可能である１又は複数のウェブページ）に限定されるものではない。
【００９５】
また、本実施形態に係る分析システム１０、ソーシャルメディアシステム１２、及びクライアント１６の役割分担は上述のものには限定されない。また、上記の具体的な文字列や図面中の具体的な文字列は例示であり、これらの文字列には限定されない。
【符号の説明】
【００９６】
１０  分析システム、１２  ソーシャルメディアシステム、１４  ウェブサーバ、１６  クライアント、１８  コンピュータネットワーク、２０  データ記憶部、２２  データ取得部、２４  ユーザ特定部、２６  ウェブサイト特定部、２８  ウェブサイト特徴量算出部、３０  ユーザ特徴量算出部、３２  ウェブページ生成部、３４  ウェブページ出力部、４０  対応関係管理データ、５０  場一覧ページ、５２  場情報配置領域、５４  傾向図形、５６  場詳細ページ、５８  場詳細情報配置領域、６０  場関連着目ユーザ一覧ページ、６２  場関連着目ユーザ情報配置領域、６４  着目ユーザ一覧ページ、６６  着目ユーザ情報配置領域、６８  ユーザ投稿傾向図形、７０  着目ユーザ詳細ページ、７２  着目ユーザ詳細情報配置領域、７４  対応関係表示ページ、７６  着目ユーザ画像、７８  着目ウェブサイト画像、８０  関係線。
【図１】
2013037624.tif 000003
【図２】
2013037624.tif 000004
【図３】
2013037624.tif 000005
【図４】
2013037624.tif 000006
【図５】
2013037624.tif 000007
【図６】
2013037624.tif 000008
【図７】
2013037624.tif 000009
【図８】
2013037624.tif 000010
【図９】
2013037624.tif 000011
【図１０】
2013037624.tif 000012
【図１１】
2013037624.tif 000013
【図１２】
2013037624.tif 000014
【図１３】
2013037624.tif 000015